(57)【要約】【課題】捕集性を高めながら通気性を向上させることができる技術を提供する。【解決手段】マスク本体部２０は、内側不織布シート３０、香料含有不織布シート４０、外側不織布シート４０、被覆シート６０により構成されている。マスク着用時には、内側不織布シート３０が着用者側に配置される。香料含有不織布シート４０は、香りを含有するマイクロカプセルが含まれている。内側不織布シート３０は、外側不織布シート４０より通気性が高く（通気抵抗が低く）設定されている。【選択図】図７
2014054509.tif 000002
【特許請求の範囲】
【請求項１】
着用者の少なくとも口と鼻を覆うマスク本体部を備えるマスクであって、
前記マスク本体部は、内側不織布シートと、外側不織布シートと、前記内側不織布シートと前記外側不織布シートの間に設けられている香料含有不織布シートを有し、マスク着用時に前記内側不織布シートが着用者側に配置される構成であり、
前記香料含有不織布シートは、香料を含有するマイクロカプセルを含んでおり、
前記内側シートは、前記外側不織布シートより通気性が高く設定されていることを特徴とするマスク。
【請求項２】
請求項１に記載のマスクであって、
外側不織布シートは、平均繊維径が１〜３μｍ、目付が２〜５ｇ／ｍ２であり、エレクトレット化された不織布シートとして構成されていることを特徴とするマスク。
【請求項３】
請求項１または２に記載のマスクであって、
前記内側不織布シートと前記香料含有不織布シートとの間の摩擦抵抗が、前記香料含有不織布シートと前記外側不織布シートとの間の摩擦抵抗より小さいことを特徴とするマスク。
【請求項４】
請求項１〜３のいずれか一項に記載のマスクであって、
前記香料含有不織布シートは、不織布シートと、前記不織布シートの、前記内側不織布シートと面する領域に塗布されている前記マイクロカプセルにより構成されていることを特徴とするマスク。
【請求項５】
請求項１〜４のいずれか一項に記載のマスクであって、
前記マスク本体部は、上側接合領域と下側接合領域を有し、
前記内側不織布シート、前記香料含有不織布シートおよび前記外側不織布シートは、前記上側接合領域と前記下側接合領域内で接合されており、
前記マスク本体部の上側接合領域および前記下側接合領域では、前記香料含有不織布に前記マイクロカプセルが含まれていないことを特徴とするマスク。
【請求項６】
請求項５に記載のマスクであって、
前記内側不織布シートは、前記マスク本体部の上側において折り返されている上側折り返し部分を有しているとともに、前記マスク本体部の下側において折り返されている下側折り返し部分を有しており、
前記内側不織布シートの前記上側折り返し部分によって前記上側接合領域が規定され、前記内側不織布シートの前記下側折り返し部分によって前記下側接合領域が規定されていることを特徴とするマスク。
【請求項７】
請求項１〜６のうちのいずれか一項に記載のマスクであって、
前記マスク本体部は、マスク製造中にニップロールによって押圧される押圧領域を有しており、
前記マスク本体部の前記押圧領域では、前記香料含有不織布に前記マイクロカプセルが含まれていないことを特徴とするマスク。
【請求項８】
請求項１〜７のうちのいずれか一項に記載のマスクであって、
着用者の右耳に掛けられる右側耳掛け部と、着用者の左耳に掛けられる左側耳掛け部を備え、前記右側耳掛け部は、前記マスク本体部の右側接合領域内で前記マスク本体部に接合され、前記左側耳掛け部は、前記マスク本体部の左側接合領域内で前記マスク本体部に接合されており、
マスク本体部の前記右側接合領域および前記左側接合領域では、前記香料含有不織布シートには前記マイクロカプセルが含まれていないことを特徴とするマスク。
【請求項９】
請求項１〜８のうちのいずれか一項に記載のマスクであって、
前記マスク本体部は、左右方向に延びている複数のプリーツを有し、マスク着用時に立体状となるように構成されていることを特徴とするマスク。
【発明の詳細な説明】
【技術分野】
【０００１】
本発明は、着用者の顔に装着されるマスクの構造技術に関する。
【背景技術】
【０００２】
従来、例えば、下記特許文献には、メントールを含有させた微多孔性中空繊維からなる繊維状物質を有するマスクが開示されている。
【先行技術文献】
【特許文献】
【０００３】
【特許文献１】特開昭６３−２０９６６６号公報
【発明の概要】
【発明が解決しようとする課題】
【０００４】
ここで、マスクの捕集性（例えば、バクテリア飛沫ろ過効率（ＢＦＥ））を高めるためには、マスクの外側に配置される外側不織布シートの通気性を低くする（通気抵抗を大きくする）必要がある。一方、外側不織布シートの通気性を低くすると、着用者は息苦しさを感じる。このため、マスクの捕集性と通気性の両方を高いレベルで両立させることができる外側不織布シートの開発が進められている。本発明者らは、外側不織布シートの開発と並行して、着用者側に配置される内側不織布シートについても検討した結果、内側不織布シートの通気性を、外側不織布シートの通気性より高めることにより、香料から発生する香りが着用者の鼻孔粘膜に達し易くなり、息苦しさを感じ難くなることを見出した。
したがって、本願発明は、マスクの捕集性と通気性を高いレベルで両立させることができる新規な技術を提供することを目的とする。
【課題を解決するための手段】
【０００５】
本発明は、着用者の少なくとも口と鼻を覆うマスク本体部を備えている。なお、一般的には、マスク本体部を装着する装着部材が設けられる。装着部材としては、例えば、着用者の耳に引っ掛けられる耳掛け部、着用者の頭部に掛け回されるヘッドバンド部等が用いられる。マスク本体部は、内側不織布シートと、外側不織布シートと、内側不織布シートと外側不織布シートの間に設けられている香料含有不織布シートを有し、マスク着用時に、内側不織布シートが着用者側に配置されるように積層されている。
香料含有不織布シートは、香料を含有するマイクロカプセルを含んでいる。マイクロカプセルとしては、手でたたく、手でもむ等の外力を加えることによって容易に破壊することができるカプセルが用いられる。香料としては、種々の香料を用いることができる。例えば、鼻炎、アレルギー等によるくしゃみ、鼻汁、鼻づまりに対して有効であるとされているメントールを用いることができる。
そして、内側不織布シートの通気性が、外側不織布シートの通気性より高く（通気抵抗が小さく）なるように設定されている。なお、外側不織布シートの通気性は、マスクの捕集性が低下しない範囲内で高められる。
本発明では、内側不織布シートの通気性が外側不織布シートの通気性より高く設定されているため、香料含有不織布シートに含まれているマイクロカプセルの破壊によって発生する香りが、着用者の鼻孔粘膜に達し易くなり、着用者は息苦しさを感じ難くなる。
【０００６】
本発明の異なる形態では、外側不織布シートは、平均繊維径が１〜３μｍ、目付が２〜５ｇ／ｍ２であり、エレクトレット化された不織布シートとして構成されている。
本形態では、マスクの捕集性および通気性を高いレベルで両立させたマスクを容易に得ることができる。
【０００７】
本発明の他の異なる形態では、内側不織布シートと香料含有不織布シートとの間の摩擦抵抗が、内側不織布シートと外側不織布シートとの間の摩擦抵抗より小さい。摩擦抵抗は、例えば、内側不織布シートに含まれる素材等を選択することによって変化させることができる。
本形態では、手でもむ等によってマスク本体部に外力を加えた時に、香料含有不織布シートに含まれているマイクロカプセルのうち、内側不織布シートと面する領域に存在するマイクロカプセルが破壊され易くなる。
【０００８】
本発明の他の異なる形態では、香料含有不織布シートは、不織布シートと、不織布シートの、内側不織布シートと面する領域に塗布されている、香料を含有するマイクロカプセルにより構成されている。
本形態では、マイクロカプセルが、内側不織布シートと面する領域に配置されているため、香料から発生する香りが着用者の鼻孔粘膜に達し易くなる。
なお、本形態の構成と、前述した、内側不織布シートと香料含有不織布シートとの間の摩擦抵抗が、内側不織布シートと外側不織布シートとの間の摩擦抵抗より小さい構成とを組み合わせることにより、より優位な効果が発生する。すなわち、マイクロカプセルを破壊し易くすることができるとともに、破壊し易い位置にマイクロカプセルを配置することができる。
【０００９】
本発明の他の異なる形態では、マスク本体部は、内側不織布シート、香料含有不織布シートおよび外側不織布シートが接合されている上側接合領域と下側接合領域を有している。そして、マスク本体部の上側接合領域および下側接合領域では、香料含有不織布にマイクロカプセルが含まれていない。
本形態では、上側接合部および下側接合部が形成されるときに、香料を含有しているマイクロカプセルが意図しないで破壊されるのを防止することができる。
【００１０】
本発明の他の異なる形態では、マスク本体部の上側において折り返されている内側不織布シートの上側折り返し部分によって、上側接合領域が規定されている。また、マスク本体部の下側において折り返されている下側折り返し部分によって下側接合領域が規定されている。
本形態では、上側接合領域および下側接合領域を容易に規定することができ、香料含有シートに香料を含有するマイクロカプセルを埋め込む作業を容易に行うことができる。
【００１１】
本発明の他の異なる形態では、マスク本体部は、マスク製造中にニップロールによって押圧される押圧領域を有している。そして、マスク本体部の押圧領域では、香料含有不織布にマイクロカプセルが含まれていない。
本形態では、マスク製造工程おいて、ニップロールに押圧されるときに、香料を含有しているマイクロカプセルが意図しないで破壊されるのを防止することができる。
【００１２】
本発明の異なる形態では、マスク本体部は、右側耳掛け部が右側接合部によって接合される右側接合領域および左側耳掛け部が左側接合部によって接合される左側接合領域を有している。そして、マスク本体部の右側接合領域および左側接合領域では、香料含有不織布シートにはマイクロカプセルが含まれていない。
本形態では、右側側接合部および左側接合部が形成されるときに、香料を含有しているマイクロカプセルが意図しないで破壊されるのを防止することができる。
【００１３】
本発明の異なる形態では、マスク本体部は、左右方向に延びている複数のプリーツを有し、マスク着用時に立体状となるように構成されている。
本形態では、マスク着用時に、上下方向の中央のプリーツが着用者の顔から離れている位置に配置される。これにより、香料を含有したマイクロカプセルが着用者の肌に直接に接触するのを防止することができる。
【発明の効果】
【００１４】
本発明のマスクでは、マスクの捕集性と通気性を高いレベルで両立させることができる。
【図面の簡単な説明】
【００１５】
【図１】一実施の形態の非着用状態を日着用面側から見た図である。
【図２】一実施の形態のマスクの非着用状態を着用面側から見た図である。
【図３】一実施の形態のマスクの着用状態を着用面側から見た図である。
【図４】非着用時におけるマスク本体部の状態を示す図である。
【図５】着用時におけるマスク本体部の状態を示す図である。
【図６】一実施の形態のマスクを製造する製造装置の概略構成図である。
【図７】図１のＶＩＩ−ＶＩＩ線断面図である。
【図８】接合領域を説明する図である。
【図９】押圧領域を説明する図である。
【発明を実施するための形態】
【００１６】
本発明のマスクの一実施の形態１０を、図１〜図５を参照して説明する。本実施の形態のマスク１０は、１回〜数回の使用を想定した使い捨てマスクとして構成されている。
図１は、一実施の形態のマスク１０の非着用状態を非着用面２０Ｙ側（着用面２０Ｘと反対側の面側）から見た図であり、図２は、一実施の形態のマスク１０の非着用状態を着用面２０Ｘ側から見た図である。図３は、一実施の形態のマスク１０の着用状態を着用面２０Ｘ側から見た図である。図４は、非着用時におけるマスク本体部２０の状態を示す図であり、図５は、着用時におけるマスク本体部２０の状態を示す図である。
【００１７】
本明細書で用いられている「方向」は、以下のように定められている。
「第１の方向Ｘ」は、マスク本体部２０の長手方向（幅方向）を表し、マスク着用状態において、着用者の左右方向に対応する（「左右方向」という）。「右側「および「左側」という記載は、着用状態において、着用者側から見て「右側」および「左側」を表している。
また、「第２の方向Ｙ」は、マスク本体部２０の長手方向に交差する方向（高さ方向）を表し、マスク着用状態において、着用者の上下方向に対応する（「上下方向」という）。「上側「および「下側」という記載は、着用状態において、着用者側から見て「上側」および「下側」を表している。
また、「第３の方向Ｚ」は、マスク本体部２０の前後方向を表し、マスク着用状態において、着用者の前後方向に対応する（「前後方向」という）。
【００１８】
図１、図２に示されているように、本実施の形態のマスク１０は、マスク本体部２０、左側耳掛け部７０、右側耳掛け部８０により構成されている。マスク本体部２０は、着用者の口や鼻を覆う部材である。左側耳掛け部７０および右側耳掛け部８０は、着用者の左耳および右耳に掛けられる部材である。
【００１９】
マスク本体部２０は、第１の方向Ｘ（左右方向）に沿って延びている複数の襞（プリーツ）を有し、プリーツタイプのマスク本体部として形成されている。本実施の形態では、図４に示されているように、上辺２０ａ、下辺２０ｂ、左辺２０ｃ、右辺２０ｄにより方形に形成されているシート片が、上辺２０ａおよび下辺２０ｂに平行な（第１の方向Ｘに平行な）複数の折り返し線２１ａ〜２１ｊに沿って順次折り返されている。これにより、第１の方向Ｘに沿って延びる複数の襞２０Ｂ〜２０Ｊが、第２の方向Ｙ（上下方向）に沿って配置されている。
なお、折り返し線２１ａに沿って折り返された折り返し片２０Ａと襞２０Ｂによって保形部９０が保持される。保形部９０は、マスク着用時に、マスク本体部２０の上端部を着用者の顔の凹凸形状に対応させることによって、マスク本体部２０と着用者の顔との間の隙間を減少させるものである。保形部９０は、折り曲げが容易であり、また、折り曲げた形状を維持する剛性を有するのが好ましい。保形部９０としては、例えば、合成樹脂あるいは金属等によって形成された薄板が用いられる。本実施の形態では、保形部９０は、図１に示されているように、折り返し片２０Ａと襞２０Ｂを、破線で示されている上側接合部２４と、黒丸で示されている接合部で接合することによって。保形部９０を保持している。
また、折り返し線２１ｊによって折り返された折り返し片２０Ｋは、下側接合部２５によって、襞２０Ｊと接合されている。
【００２０】
マスク本体部２０において、上側接合部２４より上側の領域２６Ａ（例えば、上側接合部２４のうち最も下側の接合部２４ａより上側の領域）が、本発明の「上側接合領域」に対応する。上側接合領域２６Ａは、折り返し片２０Ａによって規定することもできる。また、下側接合部２５より下側の領域２６Ｃ（例えば、下側接合部２５のうち最も上側の接合部２５ａより下側の領域）が、本発明の「下側接合領域」に対応する。下側接合領域２６Ｂは、折り返し片２０Ｋによって規定することもできる。上側領域２６Ａと下側領域２６Ｂの間の領域２６Ｃが、本発明の「香料含有領域」に対応する。上側接合領域２６Ａ、下側接合領域２６Ｃ、香料含有領域２６Ｂについては、図７を参照。
隣接する襞は、第１の方向Ｘに沿った両端部において、後述する左側接合部２２および右側接合部２３によって接合されている。
【００２１】
本実施の形態では、左側耳掛け部７０および右側耳掛け部８０は、別体に形成され、マスク本体部２０の着用面２０Ｘ上に配置された状態で、マスク本体部２０に接合されている。なお、マスク本体部２０と左側耳掛け部７０および右側耳掛け部８０を一体に形成することもできる。例えば、１つのシート片を折り返すことによって、マスク本体部２０と左側耳掛け部７０および右側耳掛け部８０が接続されたマスク１０を形成することができる。
左側耳掛け部７０および右側耳掛け部８０は、シート片により形成される。左側耳掛け部７０および右側耳掛け部８０を形成するシート片としては、伸縮性が高い不織布シートを用いるのが好ましい。例えば、繊維径が２１μｍ、目付が７３〜７７ｇ／ｍ２、通気抵抗値が０．０４８２２ｋＰａ・ｓ／ｍのＰＰ（ポリプロピレン）／ウレタン不織布シートが用いられる。
【００２２】
左側耳掛け部７０は、基部７１と、基部７１から延び、開口７０ａを形成する縁部（耳掛け部）７３を有している。基部７１は、第２の方向Ｙに沿って延びている。左側耳掛け部７０は、マスク本体部２０の着用面２０Ｘ上に、第１の方向Ｘに沿った左側に配置されている。そして、左側耳掛け部７０の基部７１の一部が、左側接合部２２によってマスク本体部２０に接合されている。
右側耳掛け部８０は、左側耳掛け部７０と同様に、基部８１と、基部８１から延び、開口８０ａを形成する縁部（耳掛け部）８２を有している。基部８１は、第２の方向Ｙに沿って延びている。右側耳掛け部８０は、マスク本体部２０の着用面２０Ｘ上に、第１の方向Ｘに沿った右側に配置されている。そして、右側耳掛け部８０の基部８１の一部が、右側接合部２３によってマスク本体部２０に接合されている。
マスク本体部２０において、左側接合部２２より左側の領域２８Ａが、本発明の「左側接合領域」に対応する。左側接合領域は、左側耳掛け部７０の基部７１によって規定することもできる。また、右側接合部２３より右側の領域２８Ｂが、本発明の「右側接合領域」に対応する。右側接合領域は、右側耳掛け部８０の基部８１によって規定することもできる。
【００２３】
次に、本実施の形態のマスク１０を着用する動作を説明する。
図１、図２に示されている状態で、第２の方向Ｙに沿った両端の襞２０Ｂ、２０Ｊの中央部を第２の方向Ｙに沿って引っ張る。これにより、マスク本体部２０は、図５に示されているように、襞２０Ｂ〜２０Ｊの第１の方向Ｘに沿った中央部が、第２の方向Ｙに沿って拡開する。同時に、中央の襞２０Ｆと両端の襞２０Ｂおよび２０Ｊとの間の第３の方向Ｚ（前後方向）に沿った間隔が大きくなる。すなわち、マスク本体部２０は、立体状となる。
また、図３に示されているように、左側耳掛け部７０および右側耳掛け部８０を、第１の方向Ｘ（左右方向）に折り返す。すなわち、左側耳掛け部７０の縁部７２を、第１の方向Ｘに沿って左側に折り返す。これにより、左側耳掛け部７０の、左側接合部２２より縁部７２側の部分が、左側接合部２２の箇所で折り返される。また、右側耳掛け部８０の縁部８２を、第１の方向Ｘに沿って右側に折り返す。これにより、右側耳掛け部８０の、右側接合部２３より縁部８２側の部分が、右側接合部２３の箇所で折り返される。
【００２４】
そして、左側耳掛け部７０の開口７０ａを着用者の左耳に掛け、右側耳掛け部８０の開口８０ａを着用者の右耳に掛ける。
この時、左側接合部２２が、左側耳掛け部７０の、折り返された部分の一部によって覆われる。また、右側接合部２３が、右側耳掛け部８０の、折り返された部分の一部によって覆われる。これにより、マスク着用時に、着用者の肌に左側接合部２２および右側接合部２３が直接に接触するのを防止することができる。
なお、香りを発生させる場合には、マスク１０を着用する前に、マスク本体部１０を手でもむ等によって外力を加え、後述する香料含有不織布シート４０に含まれているマイクロカプセルを破壊する。
【００２５】
次に、マスク本体部２０の構成を、図７を参照して説明する。図７は、図１のＶＩＩ−ＶＩＩ線断面図である。なお、図７では、説明を簡略化するため、マスク本体部２０の襞２０Ｂ〜２０Ｊは図示していない。
マスク本体部２０は、内側不織布シート３０、香料が含まれている香料含有不織布シート４０、フィルタとして作用する外側不織布シート（フィルタ用不織布シート）５０、被覆シート６０が積層されて構成されている。なお、マスク着用時には、内側不織布シート３０が着用者側に配置され、被覆シート６０が着用者と反対側に配置される。
【００２６】
香料含有不織布シート４０としては、繊維径が２０．５μｍ、目付が２２．５〜２７．５ｇ／ｍ２のＰＰ（ポリプロピレン）スパンボンド不織布シートが用いられ、香料を含有するマイクロカプセルが含まれている。マイクロカプセルとしては、手でたたく、手でもむ等の外力を加えることによって容易に破壊することができるカプセルが用いられる。香料としては、種々の香料を用いることができる。例えば、鼻炎、アレルギー等によるくしゃみ、鼻汁、鼻づまりに対して有効であるとされているメントールを用いることができる。
【００２７】
外側不織布シート５０としては、ポリプロピレン繊維を含み、エレクトレット化（エレクトレット処理）された不織布シートが用いられる。このエレクトレット化によって、ポリプロピレン繊維表面に所定量の正電荷或いは負電荷を与えて分極させた誘電状態が形成されることとなる。すなわち、ポリプロピレン繊維を含む不織布シートに対し所望のエレクトレット化が可能となる。この外側不織布シート５０として、典型的にはメルトブロー法（「メルトブローン法」ともいう）により製造されたメルトブロー不織布シート（「メルトブローン不織布シート」ともいう）を用いることができ、更にはその平均繊維径が１〜３μｍ、目付が２〜５ｇ／ｍ２、目付が２．７ｇ／ｍｗ、通気抵抗値が０．１２４ｋＰａ・ｓ／ｍのものを用いることができる。この場合の外側不織布シート５０は、ポリプロピレン繊維を少なくとも含む不織布シートがエレクトレット化されたものであって、当該不織布シートはポリプロピレン繊維のみによって構成されてもよいし、或いはポリプロピレン繊維に加えて更なる繊維、例えばポリエチレン繊維が付加されたものとして構成されてもよい。
【００２８】
被覆不織布シート６０としては、外側不織布シート６０と同様に、ポリプロピレン繊維を含み、エレクトレット化された不織布シートが用いられる。この被覆不織布シート６０のエレクトレット化処理は、外側不織布シート５０と併せて、或いは外側不織布シート５０と独立して適宜行なうことが可能である。この被覆不織布シート６０として、典型的にはスパンレース法により製造されたスパンレース不織布シート、エアスルー法により製造されたエアスルー不織布シート、スパンボンド法により製造されたスパンボンド不織布シート、或いはニードルパンチ法により製造されたニードルパンチ不織布シートを用いることができ、更にはその平均繊維径が１５〜３０μｍ、目付が１８〜５０ｇ／ｍ２のものを用いるのが好ましい。この場合の被覆不織布シート６０は、ポリプロピレン繊維を少なくとも含む不織布シートがエレクトレット化されたものであって、当該不織布シートはポリプロピレン繊維のみによって構成されてもよいし、或いはポリプロピレン繊維に加えて更なる繊維、例えばポリエチレン繊維が付加されたものとして構成されてもよい。
【００２９】
内側不織布シート３０としては、外側不織布シート５０および被覆不織布シート６０とは異なり、エレクトレット化されていない不織布シートが用いられる。内側織布シート３０として、典型的にはポリエチレンテレフタレート繊維及びポリエチレン繊維を含み、加圧ロールによるポイントボンド加工がなされた低密度のポイントボンド不織布シート（例えば、繊維径が１５．４１２μｍ、目付が３０ｇ／ｍ２、通気抵抗値が０．０５３３ｋＰａ・ｓ／ｍ、厚みないし嵩が０．２０ｍｍ以上の不織布シート）を用いるのが好ましい。着用者の顔面（肌）に直に触れるこのような構成の内側不織布シート３０は、肌触りの良い不織布シートとして好適に用いられる。なお、必要に応じては、内側不織布シート３０として、エレクトレット化されたポリプロピレン製の不織布シートを用いることもできる。
【００３０】
本発明者らは、本実施の形態のマスク本体部２０の通気性および捕集性を確認するための定量的な性能評価を実施した。この評価に際しては、通気性評価に関する通気度［ｃｃ／ｃｍ２／ｓｅｃ］と、捕集性評価に関する捕集効率［％］を測定した。通気度の測定に関しては、既知のフラジール型試験機を用い、予め規定された所定条件下において各評価片を通過する空気量［ｃｃ／ｃｍ２／ｓｅｃ］を測定した。また、捕集効率の測定に関しては、ＡＳＴＭ  Ｆ２１０１に規定される試験方法に基づいてバクテリア飛沫ろ過効率（ＢＦＥ）［％］を測定した。
評価結果から、外側不織布シート５０に関しては、その平均繊維径を被覆不織布シート６０よりも小さい１〜３μｍとし、またその目付を被覆不織布シート６０よりも小さい２〜５ｇ／ｍ２とすることによって、通気度が７０［ｃｃ／ｃｍ２／ｓｅｃ］となるレベルまでマスク通気性を高め、且つ捕集効率の基準値が９０［％］となるレベルまでマスク捕集性を高めることが可能であることが確認された。
被覆不織布シート６０に関しては、その平均繊維径を外側不織布シート５０よりも大きい１５〜３０μｍとし、またその目付を外側不織布シート５０よりも大きい１８〜５０ｇ／ｍ２とすることによって、通気度が７０［ｃｃ／ｃｍ２／ｓｅｃ］となるレベルまでマスク通気性を高め、且つ捕集効率の基準値が９０［％］となるレベルまでマスク捕集性を高めることが可能であることが確認された。
【００３１】
以上のように、本実施の形態のマスク１０は、平均繊維径が１〜３μｍ、目付が２〜５ｇ／ｍ２のエレクトレット化された不織布シートを外側不織布シート５０として用い、且つ平均繊維径が１５〜３０μｍ、目付が１８〜５０ｇ／ｍ２のエレクトレット化された不織布シートを被覆不織布シート６０として用いることによって、マスク通気性およびマスク捕集性を高いレベルで両立させたマスク構造を実現することができる。また、必要に応じては、平均繊維径が１〜３μｍで、目付が２〜５ｇ／ｍ２のエレクトレット化された不織布シートを外側不織布シート５０としたうえで、その平均繊維径および目付がいずれも前記の数値範囲（平均繊維径：１〜３μｍ、目付：２〜５ｇ／ｍ２）を上回るエレクトレット化された不織布シートを被覆不織布シート６０として採用することが可能である。この場合には、エレクトレット化される外側不織布シート５０の平均繊維径及び目付を抑えることでマスク捕集性を高めることができる一方、エレクトレット化される被覆不織布シート６０の平均繊維径および目付を相対的に上げることで、マスク通気性を確保することができる。
【００３２】
また、本実施の形態では、外側不織布シート５０および第２の繊維シート１４の不織布シートを、ポリオレフィン系繊維のうちポリプロピレン繊維を用いて構成しているため、エレクトレット化処理をとりわけ容易に行なうことが可能であるとともに、コスト面に優れた安価なマスクが提供される。なお、必要に応じては、ポリプロピレン繊維以外のポリオレフィン系繊維、例えばポリエチレン繊維やポリ１−ブテン繊維等を用いて外側不織布シート５０および被覆不織布シート６０を構成してもよい。
【００３３】
なお、上記の実施の形態では、マスク本体部２０が、内側不織布シート３０、香料含有不織布シート４０、外側不織布シート５０および被覆不織布シート６０を備えるマスクについて記載したが、本発明は、マスク本体部が、少なくとも内側不織布シート３０、香料含有不織布シート４０および外側不織布シート５０を備えていればよい。
【００３４】
ここで、本実施の形態では、内側不織布シート３０と香料含有不織布シート４０との間の摩擦抵抗が、香料含有不織布シート４０と外側不織布シート５０との間の摩擦抵抗より小さく設定されている。これにより、手でもむ等によってマスク本体部２０に外力を加えた時に、香料含有不織布シート４０に含まれているマイクロカプセルのうち、内側不織布シート３０と面する領域に配置されているマイクロカプセルが破壊されやすくなる。
本実施の形態では、肌触りを向上させるためのシルクプロテインを、シリコンを含む接着剤を用いて、内側不織布シート３０に含有させることによって、内側不織布シート３０と香料含有不織布シート４０との間の摩擦抵抗を低下させている。
なお、内側不織布シート３０と香料含有不織布シート４０との間の摩擦抵抗を低下させる方法としては、これ以外の方法を用いることができる。
【００３５】
また、本実施の形態では、香料を含有するイクロカプセルが、香料含有不織布シート４０を構成する不織布シートの、内側不織布シート３０と面する領域に塗布されている。
着用者の顔に近い領域にマイクロカプセルが配置されている方が、着用者の顔から遠い領域にマイクロカプセルが配置されている場合に比べて、マイクロカプセルが破壊された時に、香料から発生する香りが着用者の鼻孔粘膜に達し易い。
これにより、本実施の形態は、香りが伝達し易い領域へのマイクロカプセルの配置構成と、香りが伝達し易い領域に配置されたマイクロカプセルの破壊を容易とする構成を備える。
なお、マイクロカプセルは、香料含有不織布シート４０を構成する不織布シートに含有させることもできる。
【００３６】
次に、本実施の形態のマスク１０を製造する製造装置の概略を図６により説明する。なお、矢印Ｌは、シートの搬送方向を示している。
ローラ１１１〜１１４から送り出される内側不織布シート１２１、香料含有不織布シート１２２、外側被覆シート１２３および被覆不織布シート１２４は、積層装置１３０で積層される。
次に、横シール装置１４０によって、横シール（上側接合部２４および下側接合部２５）が施される。
次に、プリーツ形成装置１５０によって、複数の襞（２０Ｂ〜２０Ｊ）が形成される。
次に、エンドカット装置１６０によって、所定の長さ（搬送方向Ｌに沿った長さ）に切断され、マスク本体部２０が形成される。
次に、耳掛け部接合装置１７０によって、マスク本体部２０に左側耳掛け部７０および右側耳掛け部８０が、それぞれ左側接合部２２および右側接合部２３によって接合される。
【００３７】
ここで、図７に示されているように、内側不織布シート３０は、香料含有不織布シート４０、外側被覆シート５０および被覆不織布シート６０の上側の部分が、内側不織布被覆シート３０によって挟まれるように、上側の部分が折り返されている（上側折り返し片２０Ａ）。また、香料含有不織布シート４０、外側被覆シート５０および被覆不織布シート６０の下側の部分が、内側不織布被覆シート３０によって挟まれるように、内側不織布シート３０の下側の部分が折り返されている（下側折り返し片２０Ｋ）。
そして、横シール装置１５０によって、上側折り返し片２０Ａが、香料含有不織布シート４０、外側被覆シート５０および被覆不織布シート６０の上側の部分と上側接合部２４によって接合され、また、下側折り返し片２０Ｋが、香料含有不織布シート４０、外側被覆シート５０および被覆不織布シート６０の下側の部分と下側接合部２３によって接合され。
この接合時に、香料含有不織布シート４０に含まれているマイクロカプセルが破壊されるおそれがある。
【００３８】
したがって、破壊されるおそれがある領域では、マイクロカプセルが香料含有不織布シート４０に含まれないように構成するのが好ましい。
例えば、上側接合部２４が形成されるマスク本体部２０の上側接合領域２６Ａ（図７参照）および下側接合部２５が形成されるマスク本体部２０の下側接合領域２６Ｃ（図７参照）では、マイクロカプセルが香料含有不織布シート３０に含まれず、上側接合領域２６Ａと下側接合領域２６Ｃの間の領域（マスク本体部２０の香料含有領域）２６Ｂに、マイクロカプセルが香料含有不織布シート３０に含まれるように構成する。
なお、マスク本体部２０の上側接合領域２６Ａは、上側接合部２４より上側の領域、例えば、上側接合部２４のうち最も下側に形成される上側接合部２４ａより上側の領域として規定される。あるいは、上側折り返し片２０Ａが存在する領域を、上側接合領域２６Ａとして規定してもよい。
同様に、マスク本体部２０の下側接合領域２６Ｂは、下側接合部２５より下側の領域、例えば、下側接合部２５のうち最も上側に形成される下側接合部２５ａより下側の領域として規定される。あるいは、下側折り返し片２０Ｋが存在する領域を、下側接合領域２６Ｃとして規定してもよい。
【００３９】
また、耳掛け部接合装置１７０によって、マスク本体部２０に左側耳掛け部７０および右側耳掛け部８０が、それぞれ左側接合部２２および右側接合部２３によって接合される時に、香料含有不織布シート４０に含まれているマイクロカプセルが破壊されるおそれがある。
したがって、例えば、左側接合部２２が形成されるマスク本体部２０の左側接合領域２８Ａ（図２参照）および右側接合部２３が形成されるマスク本体部２０の右側接合領域２８ＢＣ（図７参照）では、マイクロカプセルが香料含有不織布シート３０に含まれないように構成するのが好ましい。
なお、マスク本体部２０の左側接合領域２８Ａは、左側接合部２２より左側の領域として規定される。あるいは、左側耳掛け部７０の基部７１が存在する領域を、左側接合領域２８Ａとして規定してもよい。
同様に、マスク本体部２０の右側接合領域２８Ｂは、右側接合部２３より右側の領域として規定される。あるいは、右側耳掛け部８０の基部８１が存在する領域を、右側接合領域２８Ｂとして規定してもよい。
【００４０】
また、図９に示されるように、マスクの製造工程中の搬送ラインにおいて、しわの発生を防止するため、シートを押圧するニップロール１８０が設けられている。このニップロール１８０によって押圧される際に、香料含有不織布シート４０に含まれているマイクロカプセルが破壊されるおそれがある。
したがって、例えば、マスク本体部２０の、ニップロール１８０によって押圧される押圧領域２７Ａおよび２７Ｃでは、マイクロカプセルが香料含有不織布シート３０に含まれないように構成するのが好ましい。
【００４１】
本願発明は、実施の形態説明した構成に限定されず種々の変更、追加、削除が可能である。
実施の形態で説明した構成は、単独で用いることもできるし、適宜選択した複数を組み合わせて用いることもできる。
【００４２】
なお、本願発明は、香料を含有するマイクロカプセルを含む香料含有不織布シートにより構成されているマスク本体部を有するマスクにおいて、香料含有不織布シートに含まれているマイクロカプセルが意図しない形態で破壊されるのを防止することを目的とする発明として構成することもできる。
この場合、本願発明は、
「着用者の少なくとも口と鼻を覆うマスク本体部を備えるマスクであって、
前記マスク本体部は、内側不織布シートと、外側不織布シートと、前記内側不織布シートと前記外側不織布シートの間に設けられ、香料を含有するマイクロカプセルを含んでいる香料含有不織布シートを有し、マスク着用時に前記内側不織布シートが着用者側に配置される構成であり、
マスク本体部の所定の領域では、前記香料含有不織布に前記マイクロカプセルが含まれていないことを特徴とするマスク。」
さらに、「マスク本体部の所定領域として、前述した、マスク本体部の上側接合領域および下側接合領域、あるいは、マスク本体部の押圧領域、あるいは、マスク本体部の右側接合領域および左側接合領域の少なくとも一つが設定されているマスク。」として構成することができる。
【符号の説明】
【００４３】
１０  マスク
２０  マスク本体部
２０ａ〜２０ｄ  縁部
２０Ｂ〜２０Ｊ  襞（プリーツ）
２０Ｘ  着用面（裏面）
２０Ｙ  非着用面（表面）
２１ａ〜２１ｊ  折返し線
２２  左側接合部
２３  右側接合部
２３  上側接合部
２４  下側接合部
２６Ａ  上側接合領域
２６Ｂ  香料含有領域
２６Ｃ  下側接合領域
２７Ａ  上側押圧領域
２７Ｂ  香料含有領域
２７Ｃ  下側押圧領域
２８Ａ  左側接合領域
２８Ｂ  右側接合領域
７０  左側耳掛け部
７１  基部
８０  右側耳掛け部
８１  基部
９０  保形部
１１１〜１１４  ロール
１２１  内側不織布シート
１２２  香料含有不織布シート
１２３  外側不織布シート
１２４  被覆シート
１３０  積層装置
１４０  横シール装置
１５０  プリーツ形成装置
１６０  エンドカット装置
１７０  耳掛け部接合装置
Ｘ  第１の方向（左右方向）
Ｙ  第２の方向（上下方向）
Ｚ  第３の方向（前後方向）
【図１】
2014054509.tif 000003
【図２】
2014054509.tif 000004
【図３】
2014054509.tif 000005
【図４】
2014054509.tif 000006
【図５】
2014054509.tif 000007
【図６】
2014054509.tif 000008
【図７】
2014054509.tif 000009
【図８】
2014054509.tif 000010
【図９】
2014054509.tif 000011